(57)【特許請求の範囲】
【請求項１】
少なくとも１種の酸性固形物質と、
吸水性ポリマーと、
バインダと、
を含み、
前記少なくとも１種の酸性固形物質が、
クエン酸、リンゴ酸、酒石酸、およびスルファミン酸からなる群から選択される１種と、
フマル酸一ナトリウム、リン酸二水素ナトリウム、リン酸二水素カリウム、ピロリン酸二水素二ナトリウム、酸性トリポリリン酸アルミニウム、酸性ヘキサメタリン酸ナトリウム、ウルトラリン酸ナトリウム、および腐植酸（フミン酸）を含む草炭（泥炭）からなる群から選択される１種と、の組み合せであり、
前記吸水性ポリマーが、アクリル酸の塩の部分を有し、
活性炭または潤滑剤である添加剤をさらに含む、塊状処理剤。
【請求項２】
ゼオライトをさらに含む、請求項１に記載の塊状処理剤。
【請求項３】
前記吸水性ポリマーの含有量が、前記塊状処理剤の総質量に対して、５〜３０質量％であり、
前記ゼオライトの含有量が、前記塊状処理剤の総質量に対して、１〜３０質量％であり、
前記吸水性ポリマーの含有量が、前記ゼオライトの含有量よりも多い、請求項２に記載の塊状処理剤。
【請求項４】
前記吸水性ポリマーが、アクリル酸系ポリマー、またはデンプン系ポリマーである、請求項１〜３のいずれか１項に記載の塊状処理剤。
【請求項５】
小便の処理に用いられる、請求項１〜４のいずれか１項に記載の塊状処理剤。
【請求項６】
ヒトの小便の処理に用いられる、請求項５に記載の塊状処理剤。
【請求項７】
請求項１〜６のいずれか１項に記載の塊状処理剤を粉砕することによってなる、顆粒状処理剤。
【請求項８】
請求項１〜６のいずれか１項に記載の塊状処理剤または請求項７に記載の顆粒状処理剤が予め配置されてなる、便器。
【請求項９】
水の非存在下に、請求項１〜６のいずれか１項に記載の塊状処理剤または請求項７に記載の顆粒状処理剤が予め配置されてなる、請求項８に記載の便器。
【請求項１０】
請求項１〜６のいずれか１項に記載の塊状処理剤または請求項７に記載の顆粒状処理剤を含んで成形されてなる、吸収性物品。
【請求項１１】
請求項１〜６のいずれか１項に記載の塊状処理剤または請求項７に記載の顆粒状処理剤と、
小便と、
を接触させることを含む、処理方法。
【請求項１２】
請求項１〜６のいずれか１項に記載の塊状処理剤または請求項７に記載の顆粒状処理剤を、水が非存在の容器に配置することを含む、請求項１１に記載の処理方法。
【請求項１３】
前記接触が、１〜３６時間行われる、請求項１１または１２に記載の処理方法。
【請求項１４】
前記接触によって、前記小便のｐＨが３〜６になるように調整することを含む、請求項１１〜１３のいずれか１項に記載の処理方法。
【発明の詳細な説明】
【技術分野】
【０００１】
本発明は、塊状処理剤、顆粒状処理剤、および、塊状処理剤または顆粒状処理剤を備えてなる吸収性物品またはトイレに関する。
【背景技術】
【０００２】
近年、国民の生活水準の向上に伴い、健康および衛生に関する意識も高まっており、家庭や産業から発生する廃棄物の臭気の処理は必要不可欠なものになりつつある。
【０００３】
例えば、排便、排尿後のトイレやポータブルトイレから発する糞尿臭は不快で、効率よく消臭する方法が求められている。特に、ポータブルトイレは居室や病室内で使用されることが多く、その場合、居室や病室内全体に糞尿臭が臭うため、特に有効な消臭方法が求められている。
【０００４】
かような、トイレやポータブルトイレの糞尿臭の消臭方法として、消臭効果のある薬剤を排泄後に添加する方法が知られている。使用する薬剤の形態として、液体タイプ、顆粒タイプ、錠剤タイプ、フォーム（泡）タイプ、シートタイプのものが市販されている。これらの中で、例えば、液体タイプのものとしては、特許文献１のようなものが知られている。
【先行技術文献】
【特許文献】
【０００５】
【特許文献１】特開２０１０−１２５３８４号公報
【発明の概要】
【発明が解決しようとする課題】
【０００６】
本発明者は、このような従来の消臭効果のある薬剤においては、消臭効果の点で問題があることを認識した。また、従来においては認識されていない、使用上の課題が存在していることについて、認識した。よって、本発明では、消臭効果の点で問題を改善し、あるいは、使用上の課題を解決した、新規な処理剤を提供することを目的とする。
【課題を解決するための手段】
【０００７】
上記目的は、以下の発明を提供することによって解決される。
【０００８】
（１）少なくとも１種の酸性固形物質と、吸水性ポリマーと、バインダと、を含む、塊状処理剤。
【０００９】
（２）前記少なくとも１種の酸性固形物質が、酢酸、クエン酸、イソクエン酸、リンゴ酸、酒石酸、乳酸、グルコン酸、コハク酸、グリコール酸、シュウ酸、マレイン酸、無水マレイン酸、イタコン酸、安息香酸、ヒドロキシ安息香酸、ニトリロ三酢酸、炭酸、サリチル酸、フマル酸、アジピン酸、フタル酸、テレフタル酸、イノシン酸、グアニル酸、グルタミン酸、エリソルビン酸、ソルビン酸、ポリグルタミン酸、ベンゼンスルホン酸、トルエンスルホン酸、フィチン酸、リン酸、ホスホン酸、ホウ酸、クエン酸ナトリウム、安息香酸ナトリウム、フマル酸一ナトリウム、５’−イノシン酸ナトリウム、５’−グアニル酸ナトリウム、５’−グアニル酸二ナトリウム、グルタミン酸ソーダ、エリソルビン酸ナトリウム、ソルビン酸カリウム、リン酸二水素ナトリウム、硫酸水素ナトリウム、硫酸水素カリウム、硫酸水素アンモニウム、リン酸二水素カリウム、ピロリン酸二水素二ナトリウム、酸性トリポリリン酸アルミニウム、酸性ヘキサメタリン酸ナトリウム、ウルトラリン酸ナトリウム、硫酸バンド、スルファミン酸、ミョウバンおよび腐植酸（フミン酸）を含む草炭（泥炭）からなる群から選択される、（１）に記載の塊状処理剤。
【００１０】
（３）前記少なくとも１種の酸性固形物質が、酢酸、クエン酸、イソクエン酸、リンゴ酸、酒石酸、乳酸、グルコン酸、コハク酸、グリコール酸、シュウ酸、マレイン酸、無水マレイン酸、イタコン酸、安息香酸、ヒドロキシ安息香酸、ニトリロ三酢酸、炭酸、サリチル酸、フマル酸、アジピン酸、フタル酸、テレフタル酸、イノシン酸、グアニル酸、グルタミン酸、エリソルビン酸、ソルビン酸、ポリグルタミン酸、ベンゼンスルホン酸、トルエンスルホン酸、フィチン酸、リン酸、ホスホン酸およびホウ酸からなる群から選択される１種と、クエン酸ナトリウム、安息香酸ナトリウム、フマル酸一ナトリウム、５’−イノシン酸ナトリウム、５’−グアニル酸ナトリウム、５’−グアニル酸二ナトリウム、グルタミン酸ソーダ、エリソルビン酸ナトリウム、ソルビン酸カリウム、リン酸二水素ナトリウム、硫酸水素ナトリウム、硫酸水素カリウム、硫酸水素アンモニウム、リン酸二水素カリウム、ピロリン酸二水素二ナトリウム、酸性トリポリリン酸アルミニウム、酸性ヘキサメタリン酸ナトリウム、ウルトラリン酸ナトリウム、硫酸バンド、スルファミン酸、ミョウバンおよび腐植酸（フミン酸）を含む草炭（泥炭）からなる群から選択される１種と、の組み合せである、（１）または（２）のいずれか１つに記載の塊状処理剤。
【００１１】
（４）ゼオライトをさらに含む、（１）〜（３）のいずれか１つに記載の塊状処理剤。
【００１２】
（５）活性炭または潤滑剤である添加剤をさらに含む、（１）〜（４）のいずれか１つに記載の塊状処理剤。
【００１３】
（６）前記吸水性ポリマーが、アクリル酸系ポリマー、セルロース系ポリマーまたはデンプン系ポリマーである、（１）〜（５）のいずれか１つに記載の塊状処理剤。
【００１４】
（７）小便の処理に用いられる、（１）〜（６）のいずれか１つに記載の塊状処理剤。
【００１５】
（８）（１）〜（７）のいずれか１つに記載の塊状処理剤を粉砕することによってなる、顆粒状処理剤。
【００１６】
（９）（１）〜（７）のいずれか１つに記載の塊状処理剤または（８）に記載の顆粒状処理剤が予め配置されてなる、便器。
【００１７】
（１０）水の非存在下に、（１）〜（７）のいずれか１つに記載の塊状処理剤または（８）に記載の顆粒状処理剤が予め配置されてなる、（９）に記載の便器。
【００１８】
（１１）（１）〜（７）のいずれか１つに記載の塊状処理剤または（８）に記載の顆粒状処理剤を含んで成形されてなる、吸収性物品。
【００１９】
（１２）（１）〜（７）のいずれか１つに記載の塊状処理剤または（８）に記載の顆粒状処理剤と、小便と、を接触させることを含む、処理方法。
【００２０】
（１３）（１）〜（７）のいずれか１つに記載の塊状処理剤または（８）に記載の顆粒状処理剤を、水が非存在の容器に配置することを含む、（１２）に記載の処理方法。
【００２１】
（１４）前記接触が、１〜３６時間行われる、（１２）または（１３）に記載の処理方法。
【００２２】
（１５）前記接触によって、前記小便のｐＨが３〜６になるように調整することを含む、（１２）〜（１４）のいずれか１項に記載の処理方法。
【発明の効果】
【００２３】
本発明は、上記の発明によって、以下の効果を有する。
【００２４】
（１）本発明の第１は、少なくとも１種の酸性固形物質と、吸水性ポリマーと、バインダと、を含む、塊状処理剤である。本発明の第１の塊状処理剤の構成であれば、攪拌等の操作を必要とせず、簡便にかつ効率的に被処理物（例えば、尿）を処理することが可能であり、悪臭を抑制することができる。本発明の第１においては、少なくとも１種の酸性固形物質が含まれているので、被処理物（例えば、尿）中に含まれるアンモニア成分を中和し、悪臭を抑制することができる。また、本発明の第１の塊状処理剤は、固形化されているため、使用時に粉塵が舞わないため、取り扱い性が向上する。特に、介護の現場でも、粉塵が発生しないという効果から、被介護者（介護を受ける側の高齢者や障害者など）、使用者、介護者の健康被害を抑制することもできる。さらに、本発明の第１の塊状処理剤は、吸水性ポリマー（高分子吸水剤）が混合されることによって固化されてなる処理剤であるため、中に含まれる高分子吸水剤が、被処理物中に含まれる水分に接触した際に膨潤による崩壊の基点となる役目となる。よって、ハンドリングが非常によいという塊状という形態の特性を活かしつつ、被処理物との接触後に生じる崩壊によって被処理物との接触面積が向上し、粉状と同程度以上の反応性を確保することができる。
【００２５】
（２）また、本発明の第１の塊状処理剤において、前記少なくとも１種の酸性固形物質が、酢酸、クエン酸、イソクエン酸、リンゴ酸、酒石酸、乳酸、グルコン酸、コハク酸、グリコール酸、シュウ酸、マレイン酸、無水マレイン酸、イタコン酸、安息香酸、ヒドロキシ安息香酸、ニトリロ三酢酸、炭酸、サリチル酸、フマル酸、アジピン酸、フタル酸、テレフタル酸、イノシン酸、グアニル酸、グルタミン酸、エリソルビン酸、ソルビン酸、ポリグルタミン酸、ベンゼンスルホン酸、トルエンスルホン酸、フィチン酸、リン酸、ホスホン酸、ホウ酸、クエン酸ナトリウム、安息香酸ナトリウム、フマル酸一ナトリウム、５’−イノシン酸ナトリウム、５’−グアニル酸ナトリウム、５’−グアニル酸二ナトリウム、グルタミン酸ソーダ、エリソルビン酸ナトリウム、ソルビン酸カリウム、リン酸二水素ナトリウム、硫酸水素ナトリウム、硫酸水素カリウム、硫酸水素アンモニウム、リン酸二水素カリウム、ピロリン酸二水素二ナトリウム、酸性トリポリリン酸アルミニウム、酸性ヘキサメタリン酸ナトリウム、ウルトラリン酸ナトリウム、硫酸バンド、スルファミン酸、ミョウバンおよび腐植酸（フミン酸）を含む草炭（泥炭）からなる群から選択されることによって、さらに上記の効果を奏する。
【００２６】
（３）また、本発明の第１の塊状処理剤において、前記少なくとも１種の酸性固形物質が、酢酸、クエン酸、イソクエン酸、リンゴ酸、酒石酸、乳酸、グルコン酸、コハク酸、グリコール酸、シュウ酸、マレイン酸、無水マレイン酸、イタコン酸、安息香酸、ヒドロキシ安息香酸、ニトリロ三酢酸、炭酸、サリチル酸、フマル酸、アジピン酸、フタル酸、テレフタル酸、イノシン酸、グアニル酸、グルタミン酸、エリソルビン酸、ソルビン酸、ポリグルタミン酸、ベンゼンスルホン酸、トルエンスルホン酸、フィチン酸、リン酸、ホスホン酸およびホウ酸からなる群から選択される１種（以下「第１成分」とも称する）と、クエン酸ナトリウム、安息香酸ナトリウム、フマル酸一ナトリウム、５’−イノシン酸ナトリウム、５’−グアニル酸ナトリウム、５’−グアニル酸二ナトリウム、グルタミン酸ソーダ、エリソルビン酸ナトリウム、ソルビン酸カリウム、リン酸二水素ナトリウム、硫酸水素ナトリウム、硫酸水素カリウム、硫酸水素アンモニウム、リン酸二水素カリウム、ピロリン酸二水素二ナトリウム、酸性トリポリリン酸アルミニウム、酸性ヘキサメタリン酸ナトリウム、ウルトラリン酸ナトリウム、硫酸バンド、スルファミン酸、ミョウバン、フマル酸ナトリウムおよび腐植酸（フミン酸）を含む草炭（泥炭）からなる群から選択される１種（以下「第２成分」とも称する）と、の組み合せであることによって、上記（１）または（２）の効果に加えて以下の効果を奏する。
【００２７】
被処理物（例えば、尿）から発生する悪臭の原因は、様々あり、例えば、アンモニア、あるいは、アセトン、アセト酢酸、３−ヒドロキシ酪酸などのケトン体（例えば、糖尿病患者の尿）がある。また、尿によっても臭いの強さが異なることがある。本実施形態によれば、１種の酸性固形物質だけでは取りきれない臭気がある場合でも、さらに、他の種類の酸性固形物質とを組み合わせるので、効率的に悪臭を抑制することができ、また、消臭の効果も長い時間持続する。
【００２８】
特に、本発明の第１の塊状処理剤には、吸水性ポリマーが含まれる。かかる吸水性ポリマーが、アクリル酸系ポリマー（特には、ポリアクリル酸塩）の場合で、かつ、少なくとも１種の酸性固形物質が、第１成分（未中和の酸性成分）（塩の形態ではない酸性成分）のみからなる場合、吸水性ポリマーの吸水特性の観点からすると必ずしも好ましくない場合がある（詳細は後述する）。本実施形態によれば、第２成分として、酸性成分の塩の形態または腐植酸（フミン酸）を含む草炭（泥炭）が含まれるので、吸水性ポリマーの吸水性が保持され、ひいては、被処理物との反応性を有意に確保することができる。なお、本発明者は、上記の好ましくない場合は、従来の粉末状態の際（つまり、バインダを添加しない粉末状態）に、特に顕著であるという知見も得ている。本形態によれば、バインダを添加して構成される塊状状態であるので、吸水特性の低下を有意に抑制することができる。
【００２９】
（４）本発明の第１の塊状処理剤において、ゼオライトをさらに含むことによって、少なくとも１種の酸性固形物質だけでは取りきれない悪臭を抑制する。
【００３０】
（５）また、本発明の第１の塊状処理剤が、活性炭または潤滑剤である添加剤をさらに含むことによって、さらに上記の効果を奏する。より具体的には、活性炭は、ゼオライトを補助する効果を有し、被処理物から発生する悪臭を抑制する働きを有する。また、潤滑剤は、本発明の第１の塊状処理剤を作製する際に使用される打錠機の臼へのフィードをスムーズにすることができる。
【００３１】
（６）また、本発明の第１の塊状処理剤において、前記吸水性ポリマーが、アクリル酸系ポリマー、セルロース系ポリマーまたはデンプン系ポリマーであることによって、以下の効果を奏する。まず、アクリル酸系ポリマーは、他の吸水性ポリマーと比較して、安価であり、しかも、吸水特性が高いため、膨潤・崩壊による被処理物との反応性が高くなる。また、セルロース系ポリマーまたはデンプン系ポリマーは生分解性を有するため、環境への親和性が高く、さらには、処理済の被処理物を廃棄する際も、水洗トイレに流すこともできるため、廃棄が容易なものとなり、被介護者（介護を受ける側の高齢者や障害者など）、使用者、介護者などの負担が減る。
【００３２】
（７）本発明の第１の塊状処理剤を小便の処理に用いることによって、上記（１）〜（６）で述べた効果を効率的に発揮することができる。
【００３３】
（８）本発明の第２は、本発明の第１の塊状処理剤を粉砕することによってなる、顆粒状処理剤である。顆粒状処理剤であると、塊状処理剤のように固形状態を長持間保つ必要がないのでバインダの量を少なくできるとの観点で、単位重量当たりの有効成分の割合を高めることができる。また、上記（３）で述べた吸水特性が上がるとの効果をも有する。つまり、一旦塊状物にしてしまえば、それを粉砕して顆粒物にしても、かかる吸水特性を上げるという効果が継続するため、好ましい（これについても、詳細は後述する）。
【００３４】
（９）本発明の第３は、本発明の第１の塊状処理剤または本発明の第２の顆粒状処理剤が予め配置されてなる、便器である。まず、本発明の第１の塊状処理剤が予め配置されてなる、便器の構成によれば、上記（１）〜（８）で説明した以外に、以下の効果を奏する。すなわち、塊状処理剤は、固形化されている形態であるため、ポータブルトイレ等に前もって敷いておき、その上から排尿等をすることができる。実際の介護の現場では、被介護者（介護を受ける側の高齢者や障害者など）が、夜就寝時にベッドの横にポータブルトイレをおいてそこで使用することが求められることがある。よって、介護者（介護をする側の家族など）は、予め、そのポータブルトイレ（便器）に本発明の第１の塊状処理剤を配置しておけば、介護者が夜中に起こされ、介護作業をすることを避けることができ、ひいては、介護の負担を軽減させることができる。また、本発明の第１の塊状処理剤が含まれているため、攪拌等の操作を必要とせず、簡便にかつ効率的に尿等を処理することが可能であり、悪臭やガスの発生を抑制することができる。また、従来の介護用トイレに用いられていた消臭剤（例えば、次亜塩素酸ソーダ、界面活性剤など）を、特に小便の処理に用いた場合は、消臭効果を満足に得ることができなかったが、本実施形態によると、満足な効果（例えば、強力な消臭効果、脱臭効果）を得ることができる点で好ましい。また、本発明の第２の顆粒状処理剤が予め配置されてなる、便器の構成によれば、上記（１）〜（８）で説明した以外に、以下の効果を奏する。すなわち、予め配置されてなる少量の水を入れ、いわゆるマットのような形状（一つの塊）になって使用することができる。よって、下水などに流すことができるバインダ（例えば、水溶性バインダ）と組み合わせることによって、処理後、そのままトイレに流すこともできる。さらに、本発明の第１の塊状処理剤によって処理された被処理物を覆うように添加することによって使用する補助剤としても使用できる。
【００３５】
（１０）また、本発明の第３において、水の非存在下で本発明の第１の塊状処理剤または本発明の第２の顆粒状処理剤が予め配置されてなる便器であると、上記（９）で述べた効果の他に以下の効果を奏する。従来の介護用トイレは、糞尿を受ける容器に水を張っておくことが一般的であった。そうすると、使用後（例えば、朝起きた後）、介護者は、夜中中放置された尿等を水洗トイレに流して、風呂場などで洗浄などをする必要があり、臭いに悩まされながら、さらに、洗浄の時間や労力に苦痛を覚えていた。かかる形態において、表面が撥水処理されている袋などのものを用意して、本発明の第１の塊状処理剤または本発明の第２の顆粒状処理剤を敷いておけば、それごと、廃棄することができ、尿等を受ける容器を洗浄する必要もなく、介護等の負担を非常に軽減することもできる。また、本発明の第３の便器は、従来の水性溶媒を必須としていた介護用トイレとは異なり、使用後の処理された尿等の運搬が非常に容易となる。
【００３６】
（１１）本発明の第４は、本発明の第１の塊状処理剤または本発明の第２の顆粒状処理剤を含んで成形されてなる、吸収性物品である。かかる構成によれば、おむつやペット用糞尿吸収シートの強力な脱臭力を有する新たな吸収剤として使用できる効果がある。
【００３７】
（１２）本発明の第５は、本発明の第１の塊状処理剤または本発明の第２の顆粒状処理剤と、小便と、を接触させることを含む、処理方法である。かかる処理方法によれば、上記（９）と同様の効果を奏する。
【００３８】
（１３）また、本発明の第５において、本発明の第１の塊状処理剤または本発明の第２の顆粒状処理剤を、水が非存在の容器に配置することを含むと、上記（１０）と同様の効果を奏する。
【００３９】
（１４）また、本発明の第５において、前記接触が、１〜３６時間行われることによって、効率的に小便を処理することができる。特には、８時間以上、１２時間以上または２４時間以上のような、長持間に亘り、上記（９）や（１０）と同様の効果を奏する。このように、長持間、効果が持続することによって、介護者の介護作業の自由度が向上し、頻繁に処理などを行わなければならない介護者の介護の負担を著しく軽減することができる。
【００４０】
（１５）本発明の第５において、前記接触によって、前記小便のｐＨが３〜６になるように調整することを含むことによって、特に消臭効果の点が著しく顕著である。つまり、処理した小便をｐＨ３〜６になるように接触させることによって、上記（９）や（１０）と同様の効果（特に、悪臭の抑制）を顕著に奏することができる。
【図面の簡単な説明】
【００４１】
【図１】図１は、処理前の小便のｐＨと、処理後の小便のｐＨの経時変化を示すグラフである。
【図２】図２は、実施例の処理剤と比較例の処理剤とを用いて小便を処理したときのアンモニア濃度の経時変化を示すグラフである。
【発明を実施するための最良の形態】
【００４２】
＜本発明の第１＞
本発明の第１は、（１）少なくとも１種の酸性固形物質と、吸水性ポリマーと、バインダと、を含む、塊状処理剤である。
【００４３】
本発明の第１の塊状処理剤は、少なくとも１種の酸性固形物質を含む。好ましくは２〜８種類、より好ましくは２〜５種類、さらに好ましくは２〜３種類の酸性固形物質を含む。特に、２種類以上含むことによって、１種類では取りきれない悪臭を抑制することができる。
【００４４】
本発明の第１の塊状処理剤の粒径は、１粒当たり、好ましくは直径３〜１００ｍｍ程度、より好ましくは、５〜２０ｍｍ程度、さらに好ましくは６〜１８ｍｍ程度である。かかる範囲であることによって、粉塵に起因する問題を有意に解決することができ、上記の効果を奏することが容易となる。また、運搬性などの取り扱い性も向上する。なお、かかる粒径は、１０粒の塊状処理剤を不作為に選択して、１粒ごと一番長い粒径を測定し、それらを相加平均した平均値を意味する（平均粒子径）。また、本明細書に記載の「平均粒子径」は、他の成分においても同様に定義される。また、塊状処理剤の平均厚さは、好ましくは５０μｍ〜１００ｍｍ未満程度、より好ましくは、１００μｍ〜２０ｍｍ程度、さらに好ましくは５００μｍ〜１５ｍｍ、特に好ましくは１〜１２ｍｍ、もっとも好ましくは３〜１０ｍｍである。かかる範囲であることによって、上記した効果を奏することが容易となる。
【００４５】
また、本発明の第１の塊状処理剤の重量にも特に制限はないが、運搬性や取り扱い性を鑑みると、１粒当たりの重量は、好ましくは０．０５〜３０ｇ程度であり、より好ましくは、０．２〜１０ｇ程度、さらに好ましくは０．３〜２ｇ程度である。無論、この範囲外であってもよい。使用用途によって適宜調節すればよい。以下、本発明の構成要件を詳説する。
【００４６】
［少なくとも１種の酸性固形物質］
本発明で用いることができる酸性固形物質としては、温度−１０〜６０℃、好ましくは０〜５０℃であり、圧力０．５〜１．２ａｔｍ、好ましくは１ａｔｍの状態で、固体の形態で存在できる酸性物質であれば、無機酸またはその塩、有機酸またはその塩、フミン酸に代表される無定形高分子有機物など、従来公知の如何なるものも使用することができる。
【００４７】
かかる酸性固形物質のｐＨにも、酸性を示すものであれば特に制限はないが、ｐＨ７未満〜１であることが好ましく、ｐＨ６以下、ｐＨ５以下、ｐＨ４以下、ｐＨ３以下あるいはｐＨ２以下であることが好ましい。また、２種類以上の酸性固形物質を用いる場合のｐＨは、同一のものでも、異なるものでもよい。なお、本明細書中に記載のｐＨは、実施例に記載の方法によって測定された値を意味する。かような範囲内のｐＨを有していれば、被処理物（例えば、尿）に含まれる塩基性成分（例えば、アンモニア）などと中和し、悪臭を効率的に抑制することができる。なお、より酸性が強くなる（例えば、ｐＨ３．５以下である）と、小便に含まれるアンモニアなどの塩基成分との中和反応の進行が顕著となり、脱臭、消臭効果などの上記した効果が顕著に発揮される点で好ましい。また、かような範囲であると、吸水性ポリマーを補助したりするという観点でも好ましい。
【００４８】
本発明で用いることができる酸性固形物質は、より具体的には、（２）酢酸、クエン酸（食品添加物  ｐＨ：２．３６）、イソクエン酸、リンゴ酸（食品添加物  ｐＨ：２．４５）、酒石酸（食品添加物  ｐＨ：２．２８）、乳酸、グルコン酸、コハク酸、グリコール酸、シュウ酸、マレイン酸、無水マレイン酸、イタコン酸、安息香酸、ヒドロキシ安息香酸、ニトリロ三酢酸、炭酸、サリチル酸、フマル酸、アジピン酸、フタル酸、テレフタル酸、イノシン酸、グアニル酸、グルタミン酸、エリソルビン酸、ソルビン酸、ポリグルタミン酸、ベンゼンスルホン酸、トルエンスルホン酸、フィチン酸、リン酸、ホスホン酸およびホウ酸からなる群から選択される、未中和の酸性成分（第１成分）（塩の形態ではない酸性成分）などであってもよい。また、クエン酸ナトリウム、安息香酸ナトリウム、フマル酸一ナトリウム、５’−イノシン酸ナトリウム、５’−グアニル酸ナトリウム、５’−グアニル酸二ナトリウム、グルタミン酸ソーダ、エリソルビン酸ナトリウム、ソルビン酸カリウム、リン酸二水素ナトリウム（食品添加物（ｐＨ：４．３〜４．９）、工業用（ｐＨ：４．１〜４．９）（１％溶液）、硫酸水素ナトリウム、硫酸水素カリウム、硫酸水素アンモニウム、リン酸二水素カリウム（食品添加物（ｐＨ：４．４〜４．９）、工業用（ｐＨ：４．４〜４．９）（１％溶液）、ピロリン酸二水素二ナトリウム（食品添加物（ｐＨ：３．８〜４．５）、工業用（ｐＨ：３．８〜４．５）（１％溶液）、酸性トリポリリン酸アルミニウム工業用（ｐＨ：２．４〜２．８）（１％溶液）、酸性ヘキサメタリン酸ナトリウム（酸性ピロリン酸ナトリウム（食品添加物（ｐＨ：３．８〜４．５）（１％溶液）、ウルトラリン酸ナトリウム（食品添加物（ｐＨ：１．７〜１．９）、工業用（ｐＨ：１．７〜１．９）（１％溶液）、フマル酸ナトリウム（食品添加物（ｐＨ：３．０〜４．０）（１％溶液）、硫酸バンド工業用（ｐＨ：３．０以上）（１％溶液）、スルファミン酸、ミョウバン工業用（ｐＨ：約３．５）（１２水塩）および腐植酸（フミン酸）を含む草炭（泥炭）からなる群から選択される、中和の酸性成分（水に溶かすと酸性を示す塩）やフミン酸（第２成分）などであってもよい。
【００４９】
なお、酸性固形物質が第１成分のみからなる場合、例えば、吸水性ポリマーとしてポリアクリル酸塩を使用した場合、ポリアクリル酸塩の「塩部分」を消費してしまい、吸水特性の観点から好ましくない場合がある（この場合であっても、（３）の形態のように変更すればよい）。しかしながら、被処理物（例えば、尿）のアンモニアを中和する効果は高いという点では好ましい。一方で、酸性固形物質が第２成分のみからなる場合、吸水特性の観点からは好ましい。
【００５０】
なお、下記でも記載するが、本発明の第５において、（１２）本発明の第１の塊状処理剤または本発明の第２の顆粒状処理剤と、小便と、を接触させることを含む、処理方法が提供される。そして、本発明の第５の好ましい実施形態によると、（１５）前記接触によって、前記小便のｐＨが３〜６になるように調整することを含む。上記でも述べたが、被処理物（例えば、尿）の成分量（特に、アンモニアの量）は、年齢や体質などによって異なることがある。換言すると、個人によって、小便のｐＨが異なることがある。本発明者は、発明を完成するに当たり、特に、高齢者の尿は、ｐＨが比較的高い（例えば、８〜９．５）ということを考慮している。本発明者は、本発明を完成するに至る鋭意研究の下、例え、ｐＨが高い数値であっても、処理前の小便のｐＨの如何に関らず、処理後の小便のｐＨを３〜６に調整することによって、従来の消臭剤では得られなかった、高い消臭効果や消臭持続効果を得ることができることを見出した。つまり、換言すれば、そのように調節できるように酸性固形物質を１種または２種以上適宜選択すれば好ましい。
【００５１】
上記で列挙した具体的な酸性固形物質は、従来公知の方法を適宜参照し、あるいは、組み合わせて、合成してもよいし、市販品を購入して準備してもよい。
【００５２】
市販品としては、大明化学工業（株）の硫酸バンド、ミョウバン、磐田化学工業（株）のクエン酸、リンゴ酸、酒石酸、乳酸、イタコン酸、スピクリスポール酸、築野食品工業（株）のフィチン酸、（株）日本触媒のコハク酸、フマル酸、無水マレイン酸、日本合成化学工業（株）の無水酢酸、扶桑化学工業（株）のグルコン酸、スルファミン酸、クエン酸、リンゴ酸、酒石酸、乳酸、コハク酸、フマル酸、フィチン酸、イタコン酸、（株）伏見製薬所の安息香酸、安息香酸ナトリウム、高杉製薬株式会社のシュウ酸、硝酸、丸石製薬のサリチル酸、キリン協和フーズ（株）のイノシン酸、グルタミン酸、グルタミン酸、ダイセル化学工業（株）のソルビン酸、日本化学工業（株）のホスホン酸、旭化成ケミカルズ（株）のアジピン酸、三菱化学（株）のテレフタル酸、ナガセケムテックス（株）のニトリロ三酢酸、上野製薬株式会社のヒドロキシ安息香酸、ミテジマ化学工業のリン酸二水素ナトリウム、リン酸二水素カリウム、ピロリン酸二水素二ナトリウム、酸性トリポリリン酸アルミニウム、酸性ヘキサメタリン酸ナトリウム、ウルトラリン酸ナトリウムなどがある。無論、これら以外の市販品を購入してもよい。
【００５３】
ここで、腐植酸（フミン酸）を含む草炭（泥炭）について説明する。草炭（泥炭と称される場合もある）には、腐植酸（フミン酸）が含まれている。フミン酸は、腐植酸とも呼ばれ、天然のままの粉体、無定形のものを単に「フミン」とも呼ばれることがある。フミンは一般的に、土壌改良資材として用いられ、特に化学肥料に依存してきた耕土にリン酸の固定防止、植物養分の有効化、土壌物理性の改善、陽イオン交換容量の増大などの効果が認められている。フミンは団粒形成の一環となりうる粒子の集まりで、成分としては偏った肥効はなく、粘土成分や細菌など徴生物による糊状物と結びつき、海綿状団粒を形成する。この団粒の乱隙による水分の保持は可逆的で、通気性をも兼ね備えているものである。草炭（泥炭）に含まれる腐植酸（フミン酸）の含有量は、２５質量％以上であることが好ましく、３０質量％以上、４０質量％以上、４５質量％以上、５０質量％以上の順で好ましく、実際的には、８０質量％以下、７０質量％以下、６０質量％以下になることがある。かような範囲であると、小便などに含まれるアンモニアなどの塩基を中和する観点で好ましい。例えば、２５質量％以上の腐植酸（フミン酸）を含む草炭（泥炭）は、市販品を購入することで準備することができ、例えば、明京商事株式会社のフミンエース、株式会社アートレイ社製のモフミン（登録商標）、那須緑地株式会社製  天然腐植酸フミン酸、電気化学工業株式会社（デンカアヅミン株式会社）製のカオラン（登録商標）（ｐＨ＝３．０）、アヅミン（登録商標）（ｐＨ＝６．８）、アヅミン１号などが好適に使用できる。中でも、ｐＨ３．５以下であるという観点で、カオラン（登録商標）、が好ましい。
【００５４】
本発明の第１の塊状処理剤においては、上記のように、酸性固形物質を２種類以上含むことが好ましい。２種類以上含むことによって、１種類では取りきれない悪臭を抑制することができる。
【００５５】
より好ましい酸性固形物質の組み合わせは、（３）酢酸、クエン酸、イソクエン酸、リンゴ酸、酒石酸、乳酸、グルコン酸、コハク酸、グリコール酸、シュウ酸、マレイン酸、無水マレイン酸、イタコン酸、安息香酸、ヒドロキシ安息香酸、ニトリロ三酢酸、炭酸、サリチル酸、フマル酸、アジピン酸、フタル酸、テレフタル酸、イノシン酸、グアニル酸、グルタミン酸、エリソルビン酸、ソルビン酸、ポリグルタミン酸、ベンゼンスルホン酸、トルエンスルホン酸、フィチン酸、リン酸、ホスホン酸およびホウ酸からなる群から選択される１種（第１成分）と、クエン酸ナトリウム、安息香酸ナトリウム、フマル酸一ナトリウム、５’−イノシン酸ナトリウム、５’−グアニル酸ナトリウム、５’−グアニル酸二ナトリウム、グルタミン酸ソーダ、エリソルビン酸ナトリウム、ソルビン酸カリウム、リン酸二水素ナトリウム、硫酸水素ナトリウム、硫酸水素カリウム、硫酸水素アンモニウム、リン酸二水素カリウム、ピロリン酸二水素二ナトリウム、酸性トリポリリン酸アルミニウム、酸性ヘキサメタリン酸ナトリウム、ウルトラリン酸ナトリウム、硫酸バンド、スルファミン酸、ミョウバン、フマル酸ナトリウムおよび腐植酸（フミン酸）を含む草炭（泥炭）からなる群から選択される１種（第２成分）と、の組み合せである。
【００５６】
吸水性ポリマーとしてポリアクリル酸塩（例えば、ポリアクリル酸ナトリウム）を使用した場合で、かつ、酸性固形物質が、第１成分のみから構成される場合、かかる酸性固形物質が、吸水性ポリマーが有する「塩」の部分に作用して、吸水性を低下する虞がある。本実施形態によれば、第２成分の酸性固形物質が塩の形態になっており、それと組み合わせるため、上記の作用を軽減し、吸水力の低下を顕著に抑制することができる。また、吸水性ポリマーとしてポリアクリル酸塩（例えば、ポリアクリル酸ナトリウム）を使用した場合で、かつ、第２成分の酸性固形物質が、腐植酸（フミン酸）を含む草炭（泥炭）である場合は、腐植酸（フミン酸）を含む草炭（泥炭）自体が、吸水性を示す特性を有するものであるため、塊状処理剤全体としての吸水性は有意に確保されているという効果を有する。
【００５７】
さらに好ましい酸性固形物質の組み合わせは、第１成分として、クエン酸、リンゴ酸、酒石酸またはスルファミン酸と、第２成分として、リン酸二水素ナトリウム、リン酸二水素カリウム、ピロリン酸二水素二ナトリウム、酸性トリポリリン酸アルミニウム、フマル酸一ナトリウム、ウルトラリン酸ナトリウム、酸性ヘキサメタリン酸ナトリウムまたは腐植酸（フミン酸）を含む草炭（泥炭）との組み合せである。このように、第１成分の他に第２成分を含ませることによって、第１成分だけでは取りきれない臭気を除去することができる。さらには、このように第１成分（塩の形態ではない酸性成分）だけではなく、第２成分として、塩の形態である酸性成分または腐植酸（フミン酸）を含む草炭（泥炭）が含まれると、吸水性ポリマーの吸水性が保持され、ひいては、被処理物との反応性を有意に確保することができる。
【００５８】
２種類以上の酸性固形物質を使用する際の本発明の効果は、比較的、高温多湿の環境で使用される場合（例えば、亜熱帯、熱帯地域の夏場など）、顕著である。より具体的には、温度としては、２０℃〜５０℃、あるいは、２５℃〜４０℃程度であり、相対湿度としては、５０〜１００％、あるいは、７５〜９０％の環境で使用する場合、顕著である。このような環境であると、尿中のアミン類の反応が顕著となり、アンモニアの生成も促進されてしまう虞がある。そうすると、長期間（例えば、８〜３６時間）被処理物（例えば、尿）を放置した場合、腐敗が顕著に進んでしまい悪臭が酷くなりやすい。このような場合であっても、２種類以上の酸性固形物質を組み合わせることによって、抑制することができる（当然であるが、そのような過酷な条件でも本発明の所期の効果を奏することができるので、上記したものよりも低い温度、湿度では、さらに顕著に効果を奏することは言うまでもない）。換言すると、１種類のみの酸性固形物質を使用する場合の好ましい環境は、−１０℃以上２０℃未満、より好ましくは１５℃以下、さらに好ましくは１０℃以下である。また、相対湿度としても特に制限はないが、０〜１００％、より好ましくは７０％以下、さらに好ましくは４０％以下、特に好ましくは３０％以下である。
【００５９】
少なくとも１種の酸性固形物質の量（２種類であれば、２種類の合計質量）は、塊状処理剤全体（１００質量％）に対して、好ましくは、１０〜９５質量％、より好ましくは１５〜５０質量％、さらに好ましくは１９〜３０質量％である。
【００６０】
少なくとも１種の酸性固形物質の大きさにも特に制限はないが、平均粒子径（上記と同様に算出する）が、１００ｎｍ〜３ｍｍ程度、より好ましくは０．０１〜１ｍｍ程度のものであることが、粉体の形態であると塊状にし易く、吸水性ポリマーの補助的役割をする観点で好ましい。無論、種類によって、あるいは、製造の便宜を考慮して、これらの範囲を逸脱するものであっても構わない。
【００６１】
［吸水性ポリマー（吸水剤、高分子吸水剤とも称することがある）］
また、本発明の第１の塊状処理剤は、吸水性ポリマーを含む。本発明の第１の塊状処理剤に含まれる吸水性ポリマー（吸水剤）は、前記主成分（酸性固形物質、ゼオライト）を補助する役割をする。つまり、例えば、主成分として、酸性固形物質やゼオライトだけを用いた場合、被処理物（例えば尿）を吸収しきれない場合がある。例えば、被処理物（例えば尿）の量が多い場合などでは、主成分として酸性固形物質やゼオライトが下に沈み、被処理物との接触効率がよくない。本発明の第１の塊状処理剤は吸水性ポリマーを含むため、吸水による膨潤によって、被処理物との接触効率を向上させ、ひいては、反応性も向上する。さらに、被処理物中の水分を吸収し固化するため、被処理物が固化し、固化した被処理物の周囲を主成分が覆う形となり、悪臭の原因物質や、微生物の発酵、分解活動を止めることができ、ひいては、上述した効果を有することができる。さらには、上記のように、吸水性ポリマーが、水分に接触した際に膨潤するため、固化されている処理剤の崩壊の基点となる役目をする。
【００６２】
本発明で用いられる吸水性ポリマーは、特に制限はなく、公知の物質を使用することができるが、例えば、（６）アクリル酸系ポリマー、セルロース系ポリマーまたはデンプン系ポリマーであることが好ましい。上記のように、アクリル酸系ポリマーは、他の吸水性ポリマーと比較して、安価であり、しかも、吸水特性が高いため、膨潤・崩壊による被処理物との反応性が高くなる。また、セルロース系ポリマーまたはデンプン系ポリマーは生分解性を有するため、環境への親和性が高く、さらには、処理済の被処理物を廃棄する際も、水洗トイレに流すこともできるため、廃棄が容易なものとなり、被介護者（介護を受ける側の高齢者や障害者など）、使用者、介護者などの負担が減る。
【００６３】
具体的な例としては、例えば、例えばデンプン−アクリロニトリルグラフト重合体加水分解物、デンプン−アクリル酸グラフト重合体などのデンプン系吸水性ポリマー、セルロース−アクリロニトリルグラフト重合体、セルロース−スチレンスルホン酸グラフト共重合体などのセルロース系吸水性ポリマー、多糖類系吸水性ポリマー、コラーゲン等のたんぱく質系吸水性ポリマー、ポリビニルアルコール架橋重合体などのポリビニルアルコール系吸水性ポリマー、ポリアクリル酸ナトリウム架橋体、アクリル酸重合体部分ナトリウム塩架橋物、アクリル酸ナトリウム−ビニルアルコール共重合体などのアクリル系吸水性ポリマー、無水マレイン酸系吸水性ポリマー、ビニルピロリドン系吸水性ポリマー、ポリエチレングリコール・ジアクリレート架橋重合体などのポリエーテル系吸水性ポリマー等などが挙げられる。これら吸水性ポリマーは、単独で用いてもよいし２種以上を組み合わせて使用してもよい。また、これら吸水性ポリマーは、合成してもよいし市販品を用いてもよい。市販品の例としては、例えば、アクアキープ（登録商標）ＳＡ−６０（住友精化株式会社製）、アクアリック（登録商標）ＣＡ（株式会社日本触媒製）、サンフレッシュ、アクアパール（サンダイヤポリマー株式会社製）、ハイモサブＨＳ−９６０（ハイモ株式会社製）などが挙げられる。これら吸水性ポリマーの中でも、アクアキープ（登録商標）ＳＡ−６０（住友精化株式会社製）がより好ましい。
【００６４】
前記吸水性ポリマーの形状も特に制限されず、例えば、粒状、粉末状、顆粒状、ペレット状等が例示できる。
【００６５】
前記吸水性ポリマーが粒状である場合、その平均粒子径にも特に制限はないが、好ましくは８４０μｍ〜９０μｍ、より好ましくは５００μｍ〜１０６μｍ程度である。
【００６６】
吸水性ポリマーの含有量は、吸水性ポリマーの種類や形状、および被処理物に含まれる水分量などにより適宜調整可能であるが、本発明の第１の塊状処理剤の総質量に対して、１〜８０質量％、５〜５０質量％、１０〜３０質量％程度であることが好ましい。かかる範囲であれば、吸水性ポリマーの効果を有意に得られ、未反応の吸水性ポリマーが残留せず、コスト的に有利である。
【００６７】
［結合剤（バインダ）］
本発明の第１の塊状処理剤は、バインダを含む。本発明の第１の塊状処理剤は、固形化されているため、使用時に粉塵が舞わないため、取り扱い性が向上する。特に、介護の現場でも、粉塵が発生しないという効果から、被介護者（介護を受ける側の高齢者や障害者など）、使用者、介護者の健康被害を抑制することもできる。さらに、本発明の第１の塊状処理剤に含まれるバインダは、有機系バインダであっても、重曹などの無機系バインダであってもよい。しかし、結着性を鑑みると、セルロース系バインダ、高分子系バインダおよびでんぷん系バインダからなる群から選択される少なくとも１種の有機系バインダであることが好ましい。特に、セルロース系バインダであると好ましい。
【００６８】
本発明の第１の塊状処理剤は、酸性固形物質やゼオライトなどの成分が固形化されている点にも特徴を有する。本発明の第１の塊状処理剤は、これらのほかに吸水性ポリマー（吸水剤）などが含まれるが、かかる吸水性ポリマー（吸水剤）は、固形化時（圧縮時）にクッション的な役割になり打錠や圧縮が困難となる場合がある。
【００６９】
しかしながら、本発明の第１の塊状処理剤は、結合剤（バインダ）を含むため、固形化、タブレット化、造粒化が容易となる。そして、結合剤（バインダ）が含まれるという形態によって、本発明の第１の塊状処理剤は、十分な強度を有する。その点、運搬性や取り扱い性の観点で好ましい。
【００７０】
本発明の第１の塊状処理剤に含まれるバインダは、従来公知の方法で合成しても、市販品を購入することによって準備してもよい。市販品としては、旭化成ケミカルズ社製のＰＨ−１０２、ＴＧ−１０１、ＳＴ−０２、ＴＧ−１０１や、樋口商会社製ＰＶＰＫ−１５、ＰＶＰＫ−３０、ＰＶＰＫ−９０（ポリビニルピロリドン）、日本製紙ケミカル社製のＫＣシリーズ（ＫＣフロック  Ｗ−５０Ｓ、Ｗ−５０、Ｗ−１００／１００Ｇ、Ｗ−２００／２００Ｇ、Ｗ−２５０、Ｗ−３００Ｇ、Ｗ−４００Ｇ）、旭化成ケミカルズ社製のセロッサシリーズ（セロッサＫ２）などが好適に使用されるが、中でも、セルロース系の日本製紙ケミカル社製のＫＣシリーズ、旭化成ケミカルズ社製のセオラス、セロッサシリーズが結着性の観点で非常に優れていることを、本発明者は見出している。特に、旭化成ケミカルズ社製のセロッサＫ２は、形状が粒状であり粒子が細かいので、結合力も高く、打錠機のホッパーからのフィードがスムーズである観点で非常に優れていることを、本発明者は見出している。
【００７１】
バインダの含有量は、本発明の第１の塊状処理剤の総質量に対して、固形化に寄与することが主であるため、少なければ少ないほど好ましいが、現実的には、好ましくは０．１〜７５質量％、より好ましくは５〜７０質量％、さらに好ましくは１５〜６５質量％、特に好ましくは２０〜６０質量％程度である。なお、後述する本発明の第２であると、バインダの量を少なくできる点で好ましい。かかる範囲であると、粉状である酸性固形物質や、ゼオライトや、吸水性ポリマーを塊状にし、使用時の粉塵飛散を防ぐ効果が特に顕著である。
【００７２】
［ゼオライト］
本発明の第１の塊状処理剤は、（４）ゼオライトを含むのが好ましい。「ゼオライト」とは沸石類と呼ばれる鉱物の総称で、天然のゼオライトは約４０種類発見されている。本発明の第１の塊状処理剤に、ゼオライトが含まれると、糞尿（特に、小便）に含まれるアンモニア成分を吸着し、消臭、脱臭に効果がある。そして、本発明の少なくとも１種の酸性固形物質では取りきれない悪臭を吸着する効果がある。
【００７３】
本発明の第１の塊状処理剤に含まれるゼオライトは、天然のものであっても、人工的なものであってもよいが、入手性の観点からは、人工的なものであることが好ましい。また、本発明のゼオライトは、水や窒素分子よりも少し大きい５．５〜８Å程度の極微小な空洞がトンネル状に構成されているモルデナイトと呼ばれるゼオライトであることが好ましい。
【００７４】
市販品を購入する場合、新東北化学工業（株）社製の、ゼオライト２４６０、ゼオライト６０、ゼオライトＣＰなどが好ましい。
【００７５】
本発明のゼオライトの平均粒子径にも特に制限はないが、０．５ｍｍ以下程度が好ましく、より好ましくは、０．４ｍｍ以下であり、下限としては、１０μｍ以上程度である。
【００７６】
本発明で使用したゼオライト（ゼオライト６０）には、ＳｉＯ２（酸化ケイ素）、Ａｌ２Ｏ３（酸化アルミニウム）、ＣａＯ（酸化カルシウム）、Ｎａ２Ｏ（酸化ナトリウム）、Ｋ２Ｏ（酸化カリウム）、Ｆｅ２Ｏ３（酸化鉄）、ＭｇＯ（酸化マグネシウム）、付着水（Ｈ２Ｏ）、結合水（Ｈ２Ｏ）、その他が、それぞれ、７０．５質量％、１１．３質量％、２．６質量％、１．６質量％、１．３質量％、０．７質量％、０．１質量％、８．０質量％、３．９質量％程度含まれるものであるが、無論、かかる組成に限定されることはなく、それぞれの成分が０．１〜２割程度増減して、合計が１００％になるように調製されたものを用いてもよい。なお、本発明において、例えば、Ｋ［ＡｌＳｉ２Ｏ６]などのゼオライトを用いてもよい。
【００７７】
ゼオライトを使用する場合の使用量は、ゼオライトの種類や形状、および被処理物（例えば、尿）中に含まれる成分などにより適宜調整可能であるが、本発明の第１の塊状処理剤の総質量（１００質量％）に対して、１〜７０質量％の範囲であることが好ましく、５〜５０質量％の範囲であることがより好ましく、１０〜３０質量％の範囲であることがさらに好ましい。かかる範囲であると、悪臭を抑制する効果がより高くなり、コスト的にも経済的である。
【００７８】
［添加剤]
また、（５）本発明の第１の塊状処理剤は、活性炭または潤滑剤である添加剤をさらに含むことによって、さらに上記の効果を奏する。
【００７９】
（活性炭）
本発明で用いられうる活性炭は、尿等から発生する悪臭を抑制する働きを有する。より具体的には、活性炭は、ゼオライトを補助する効果を有し、被処理物から発生する悪臭を抑制する働きを有する。
【００８０】
本発明で用いられうる活性炭は、特に制限されない。活性炭の具体的な例としては、例えば、木炭、コークス、ヤシガラ、天然繊維、ポリアクリロニトリル、レーヨン、フェノール樹脂などの合成樹脂、ピッチなどを原料として用い、公知の方法で得られた活性炭が挙げられる。これらは単独で用いてもよいし、２種以上を組み合わせて使用してもよい。また、前記活性炭は、合成してもよいし市販品を用いてもよい。市販品の例としては、例えば、活性炭ＧＹアルカリ用、活性炭ＧＸ酸性用（以上、東洋紡株式会社製）、またはこれらの混合物などが挙げられる。
【００８１】
前記活性炭の形状も特に制限されず、例えば、粒状、粉末状、顆粒状、ペレット状、マカロニ状、繊維状、ハニカム状等が例示できる。
【００８２】
活性炭を使用する場合の使用量は、活性炭の種類や形状、および被処理物（例えば、糞尿）中に含まれる成分などにより適宜調整可能であるが、本発明の第１の塊状処理剤の総質量（１００質量％）に対して、０〜２０質量％、０．３〜１５質量％、０．４〜１０質量％程度である。かかる範囲であると、悪臭を抑制する効果がより高くなり、コスト的にも経済的である。
【００８３】
（潤滑剤）
本発明の第１の塊状処理剤に含まれうる潤滑剤は、本発明の第１の塊状処理剤を作製する際に、特に、打錠機の臼へのフィードをスムーズになるために用いられるものである。よって、潤滑剤によれば、本発明の第１の塊状処理剤を作製する際のフィードをスムーズにすることができる。潤滑剤の種類としては、従来公知のものを適宜選択して、あるいは、組み合わせて使用することができる。例えば、エステル系、ケイ素系、ステアリン酸カルシウム、ステアリン酸カリウム、カルシウム亜鉛などが使われる。エステル系とケイ素系の組み合せが好ましい。潤滑剤の含有量は、本発明の第１の塊状処理剤の総量に対して、０．５〜５質量％程度、あるいは、１〜４．５質量％程度であることが好ましい。
【００８４】
なお、本発明の第１の塊状処理剤は、単位重量当りの前記有効成分の割合をなるべく多くするという観点で、例えば、消石灰および／または石灰石を含まないことが好ましい。
【００８５】
［処理剤の用途］
続いて、本発明の第１の塊状処理剤（本発明の第２の顆粒状処理剤）の用途、つまり、塊状処理剤が処理する対象物（被処理物）について説明する。本発明における被処理物としては、例えば、大便、小便、嘔吐物、有機性汚泥、動植物、家畜、家畜舎または土壌などが挙げられるが、本発明の第１の塊状処理剤が特に効率的に効くのは、糞尿、特に小便である。つまり、本発明においては、（７）小便の処理に用いられる、本発明の第１の塊状処理剤が提供される。小便を処理する小便処理剤は、従来も様々提供されているという事実があるが、多くの従来品は、いわゆる人工尿などを用いて効果を実証している。本願の塊状処理剤は、実施例に記載のように、実際の人尿（特に、高齢者の高臭気小便）を用いて実証を行って、本願で謳う効果を見出している点にも特徴がある。
【００８６】
［本発明の第１の塊状処理剤の作製方法］
本発明の第１の塊状処理剤は、上記の組成を、混合し、所望の大きさあるいは重量になるように、圧縮することによって、作製することができる。この際、混合する方法は、各成分を一度に混合してもよいし、各成分を順次混合してもよい。
【００８７】
以下、本発明の第１の塊状処理剤の作製方法を好ましいいくつかの実施形態に分けて説明する。無論、下記の方法には制限されない。
【００８８】
［卓上式手動の打錠機で固化］
卓上式手動の打錠機（杵と臼はそれぞれ一つ）で固化するために、まず、杵には、固化をする各成分を手でスプーンにて入れる。この際、フィードの難しさは考える必要はない。その後、手動（油圧）にてレバーを下して圧力をかけて、各成分を固化させることによって、第１の塊状処理剤を作製する。なお、卓上式手動の打錠機の利点は、かなりの時間、滞留させて圧力をかけるので固まりにくい組み合わせであっても固化できるというところである。なお、例えば口径の小さい杵（直径７ｍｍ：上下円版型）を用いた場合、口径が小さい方が面積当たりにより高い圧力がかかるので固化しにくいものでも固まる傾向がある。一方で、例えば口径の大きい杵（直径１５ｍｍ：上下平版型）を用いる場合、口径が大きい方が面積当たりに小さい圧力になるので固化しにくいものには不利になるが、口径の大きい分、杵へのフィードは有利になり、生産性は向上する。
【００８９】
［連続式の打錠機］
また、連続式の打錠機は、直打式であってもなくてもよいが、前処理の手間（例えば、造粒工程；本発明では、吸水性ポリマーが使用されるため乾式が好ましい）を省くことができるという点で生産性が向上する直打式を採用することも好ましい。また、微粉のものをフィードしやすくするために潤沢剤を入れることが好ましい。一方で、前処理を行う場合は、例えば、ローラーコンパクターを用いて大きな圧力をかけて圧延して微粉を造粒したものにバインダ（結合剤）を混合したものを打錠することによって、本発明の第１の塊状処理剤を作製してもよい。大量生産を鑑みると、例えば、株式会社畑鐵工所製の打錠機（型式ＡＰ１８−ＳＳなど）を使用することが好ましい。この際の杵臼の直径は、１３ｍｍ程度であり、杵立数は、１８本程度である。かかる打錠機を使用すれば、原料を所望の割合となるように調製し、混合し、打錠機のホッパーに混合した原料を入れ、打錠機で回転式に打錠をしていくだけで生産が可能であり、好ましい。
【００９０】
また、連続式の回転型打錠機で、本発明の第１の塊状処理剤を作製してもよい。具体的には、各成分（例えば、酸性固形物質、吸水性ポリマー、バインダ、潤沢剤）を混合し混合物を作製し、連続打錠機のホッパーに混合物を入れて打錠を行う。杵の形状は、例えば、上下円版型であってもよい。
【００９１】
このように、本発明の第１の塊状処理剤を作製するための固形化のため方法には、特に制限はない。上記のように、打錠、ローラーコンパクター、湿式の圧縮（圧縮対象の原体を水で湿らせ、圧縮）を適宜組み合わせて、適用すればよい。なお、本発明の第１の塊状処理剤は、吸水性ポリマーを含むため、吸水性ポリマーを混合する前の段階で、酸性固形物質と、ゼオライト、活性炭などの添加剤との混合物を湿式で造粒し、その後、吸水性ポリマーと混合する方法もよい。  このように、本発明の第１の塊状処理剤を作製するための固形化のため方法には、特に制限はない。
【００９２】
＜本発明の第２＞
本発明の第２は、（８）本発明の第１の塊状処理剤を粉砕することによってなる、顆粒状処理剤である。本発明の第２のように、顆粒状処理剤であると、塊状処理剤のように固形状態を長持間保つ必要がないのでバインダの量を少なくできるとの観点で、塊状処理剤の単位重量当たりの有効成分の割合を高めることができる。また、本発明の第２の顆粒状処理剤は、従来の粉末状態の処理剤とは異なる予期せぬ効果がある。本発明の第２のように、バインダを含んで一旦固化されたものを粉砕する形態であると、酸性固形物質として、塩の形態ではない酸性成分が多く含まれている場合であっても（第１成分が多くても、あるいは、すべて第１成分でも）、吸水性ポリマーの吸水特性の低下を有意に抑え、好適である。また、一旦塊状物にしてしまえば、それを粉砕して顆粒物にしても、かかる吸水特性を上げるという効果が継続するため、好適である。本発明の第２の顆粒状処理剤は、一旦固化させた、本発明の第１の塊状処理剤を粉砕することによってなる。従来の粉末状態では、そのような「一旦固化させる」という工程を経て作製されるものは知られていない。つまり、本発明の第２の顆粒状処理剤は、粒径としては重複する部分があっても、そのような構成的な面からして（バインダの有無）、従来の粉末状態の処理剤とは異なる。
【００９３】
本発明の第１の塊状処理剤を粉砕する方法は特に制限されないが、例えば、従来公知の細粒化装置を用いることなどで、行うことができる。使用できる細粒化装置としては、剪断粗砕機、衝撃破砕機、高速回転式粉砕機に分類されて、切断、剪断、衝撃、摩擦といった粉砕機構のうちの１つ以上の機構を有するものが好ましく使用できる。例えば、畑鉄工所の整粒機や、岡田精工の卓上用ミルなどを用いることができる。無論、これら以外の装置を使用してもよい。
【００９４】
本発明の第２の顆粒状処理剤の粒径は、１粒当たり、好ましくは直径０．０１〜３ｍｍ未満程度、より好ましくは、０．０５〜２ｍｍ程度、さらに好ましくは０．１〜１ｍｍ程度である。
【００９５】
本発明の第２の顆粒状処理剤は、上記のようにバインダの量を、本発明の第１の塊状処理剤よりも少なくすることができる点でも特徴を有する。バインダの量の目安であるが、本発明の第１の塊状処理剤の場合の、好ましくは１０％減、より好ましくは３０％減、さらに好ましくは５０％減以上にすることも可能である。その減らすことができた分に、有効成分等の量を増やして、全体を１００質量％とすればよい。
【００９６】
＜本発明の第３＞
本発明の第３は、（９）本発明の第１の塊状処理剤または本発明の第２の顆粒状処理剤が予め配置されてなる、便器である。本発明の第３の好ましい形態によると、（１０）水の非存在下に、本発明の第１の塊状処理剤または本発明の第２の顆粒状処理剤が予め配置されてなる、便器である。
【００９７】
まず、（９）本発明の第１の塊状処理剤または本発明の第２の顆粒状処理剤が予め配置されてなる、便器について説明する。まず、本発明の第１の塊状処理剤の形態の場合、上記のように、塊状処理剤は、固形化されている形態であるため、ポータブルトイレ等に前もって敷いておき、その上から排尿等をすることができる。また、攪拌等の操作を必要とせず、簡便にかつ効率的に尿等を処理することが可能であり、悪臭やガスの発生を抑制することができる。また、本発明の第２の顆粒状処理剤の形態の場合、例えば、予め配置されてなる少量の水を入れ、いわゆるマットのような形状（一つの塊）になって使用することができる。よって、下水などに流すことができるバインダ（例えば、水溶性バインダ）と組み合わせることによって、処理後、そのままトイレに流すこともできる。さらに、本発明の第１の塊状処理剤によって処理された被処理物を覆うように添加することによって使用する補助剤としても使用できる。
【００９８】
この場合の「少量の水」の量は、本発明の第２の顆粒状処理剤の全質量（１００質量部）に対して、好ましくは１０〜２００質量部、より好ましくは２０〜１５０質量部、さらに好ましくは５０〜１００質量部である。
【００９９】
本発明の第１の塊状処理剤または本発明の第２の顆粒状処理剤が糞尿（特に、尿）を処理するに用いられる場合、第１の塊状処理剤の使用量は、被処理物（例えば、尿）５００質量部に対し、１０〜５００質量部の範囲であることが好ましく、２０〜３００質量部の範囲であることがより好ましく、５０〜２００質量部であることがさらに好ましい。
【０１００】
第１の塊状処理剤の使用量が、１０質量部未満である場合には、尿と有効成分との接触面積が減少するため、尿が空気に触れ、尿の悪臭が促進する虞がある。しかし、そのような場合であっても、本発明の第２の顆粒状処理剤を、本発明の第１の塊状処理剤によって処理された被処理物を覆うように添加することによって使用する補助剤としても使用できる。一方、５００質量部を超える場合には、処理後の残渣が多くなり、処理後の廃棄物が多くなる場合がある。また、コストが高くなる場合がある。
【０１０１】
第２の顆粒状処理剤の使用量は、上記のように、バインダの量を相対的に減らすことができ、その分、有効成分の量を増やすことができるので、上記記載の範囲の３０〜５０％減の質量部の範囲で足りる。
【０１０２】
続いて、（１０）水の非存在下に、本発明の第１の塊状処理剤または本発明の第２の顆粒状処理剤が予め配置されてなる、便器であるの形態について説明する。上記のように、かかる形態においては、表面が撥水処理されている袋（例えば、ビニール袋、撥水処理した紙袋）などのものを用意して、本発明の第１の塊状処理剤または本発明の第２の顆粒状処理剤を敷いておけば、それごと、廃棄することができ、尿等を受ける容器を洗浄する必要もなく、介護等の負担を非常に軽減することもできる。また、使用後の処理された尿等の運搬が非常に容易となるのは、上記述べたとおりである。
【０１０３】
＜本発明の第４＞
本発明の第４は、（１１）本発明の第１の塊状処理剤または本発明の第２の顆粒状処理剤を含んで成形されてなる、吸収性物品である。本発明の第４にかかる吸収性物品は、上記した本発明の第１の塊状処理剤または本発明の第２の顆粒状処理剤、液透過性を有する表面シート、液不透過性を有する背面シートを備えると好ましい。
【０１０４】
本発明にかかる吸収性物品の製造方法は、特に限定されないが、例えば、本発明の第１の塊状処理剤または本発明の第２の顆粒状処理剤を、液透過性を有する基材（表面シート）と液不透過性を有する基材（背面シート）でサンドイッチして、必要に応じて、弾性部材、拡散層、粘着テープ等を装備することで、吸収性物品、例えば、大人用紙オムツや生理用ナプキンとすればよい。
【０１０５】
本発明の第１の塊状処理剤または本発明の第２の顆粒状処理剤は、吸収性物品に消臭機能を付与でき、長時間にわたり、優れた消臭性能と吸収特性を示すものである。
【０１０６】
このような吸収性物品としては、具体的には、近年成長の著しい大人用紙オムツをはじめ、子供用オムツや生理用ナプキン、いわゆる失禁パッド等の衛生材料等が挙げられ、それらに特に限定されるものではないが、吸収性物品の中に存在する本発明の第１の塊状処理剤または本発明の第２の顆粒状処理剤が非常に優れた消臭性を有し、ドライ感が著しいことにより、装着している本人、介護の人々の負担を大きく低減することができる。
【０１０７】
＜本発明の第５＞
本発明の第５は、（１２）本発明の第１の塊状処理剤または本発明の第２の顆粒状処理剤と、小便と、を接触させることを含む、処理方法である。また、本発明の第５においては、（１３）本発明の第１の塊状処理剤または本発明の第２の顆粒状処理剤を、水が非存在の容器に配置することを含むと好ましい。かような処理方法によれば、上記で述べたような効果を奏する。なお、小便に対する本発明の第１の塊状処理剤または本発明の第２の顆粒状処理剤の使用量は、本発明の第４で述べたとおりである。
【０１０８】
また、本発明の第５において、（１４）前記接触が、１〜３６時間行われると好ましい。この接触時間も、適宜調節することができ、例えば、１０分以上、２時間以上、５時間以上、８時間以上、１２時間以上または２４時間以上のような接触時間とすることができる。特に、本発明の第１、第２の処理剤は、８時間以上という有意に長い時間、消臭効果が持続するというという点、有用である。このように、長持間、効果が持続することによって、介護者の介護作業の自由度が向上し、頻繁に処理などを行わなければならない介護者の介護の負担を著しく軽減することができる。
【０１０９】
また、接触の際の、温度や湿度についての条件は、酸性固形物質を１種類にするか、２種類以上にするかによって、上記した通りである。
【０１１０】
また、本発明の第５において、（１５）前記接触によって、前記小便のｐＨが３〜６になるように調整することを含むと好ましい。前記接触によって、前記小便のｐＨが３〜６になるように調整することを含むことによって、特に消臭効果の点が著しく顕著である。つまり、処理した小便をｐＨ３〜６になるように接触させることによって、上記（９）や（１０）と同様の効果（特に、悪臭の抑制）を顕著に奏することができる。上記もしたが、被処理物（例えば、尿）の成分量（特に、アンモニアの量）は、年齢や体質などによって異なることがある。換言すると、個人によって、小便のｐＨが異なることがある。本発明者は、本発明を完成するに至る鋭意研究の下、処理前の小便のｐＨの如何に関らず、処理後の小便のｐＨを３〜６に調整することによって、従来の消臭剤では得られなかった、高い消臭効果や消臭持続効果を得ることができることを見出した。換言すれば、そのように調節できるように酸性固形物質を組み合わせれば特に好ましい。
【０１１１】
前記ｐＨにも特に制限はないが、好ましくは１〜７、より好ましくは２〜７、さらに好ましくは３〜６である。かようなｐＨに調節する方法も特に制限はないが、処理前の小便のｐＨを測定し（それを数日間〜数週間、継続すれば、その個人の平均的なｐＨを算出することができる）、ｐＨが３〜６になるような割合で、酸性固形物質を適宜調節すればよい。
【実施例】
【０１１２】
以下、実施例を挙げて本発明をさらに詳細に説明するが、本発明は下記の実施例により何ら制限されるものではない。
【０１１３】
＜高臭気小便の処理＞
・検体（性別：男、年齢：９６歳）
なお、処理後の臭気は、１０段階の官能評価で行い、処理前の高臭気小便の臭いを「１０」とし、「１０」「９」「８」「７」「６」「５」「４」「３」「２」「１」の１０段階による官能評価および／またはアンモニア用ガス検知管（北川式）（光明理化学工業（株）社製）による評価を行った。
【０１１４】
「１０」が、１０分経過して測定した際に、高臭気小便と同じであり悪臭が強い。
【０１１５】
「９」が、１０分経過して測定した際に、臭気が少々軽減していると感じるが、悪臭はある。
【０１１６】
「８」が、１０分経過して測定した際に、臭気が少々軽減していると感じられ、悪臭は弱くなっている。
【０１１７】
「７」が、１０分経過して測定した際に、臭気が軽減していると感じられ、悪臭も少ない。
【０１１８】
「６」が、１０分経過して測定した際に、臭気が明確に軽減していると感じられ、悪臭も殆どない。
【０１１９】
「５」が、１０分経過して測定した際に、悪臭は感じられない。
【０１２０】
「４」が、１０分経過して測定した際には、悪臭は感じられないが、２時間経過して測定した際に、明確に臭気を感じる。
【０１２１】
「３」が、２時間経過して測定した際には、悪臭は感じられないが、８時間経過して測定した際に、ある程度臭気を感じる。
【０１２２】
「２」が、８時間経過して測定した際には、悪臭は感じられないが、２４時間経過して測定した際に、小便臭ではないものの何かの臭気を感じる。
【０１２３】
「１」が、２４時間経過して測定した際も、殆ど臭気はない。
【０１２４】
（実施例１）（新処方１９）
下記表１に示される成分を、下記表１に示される混合割合で（合計１００質量％）、２，０００ｇとなるように混合することによって混合物を作製した。かかる混合物２，０００ｇを（株）富士薬品機械の打錠機（ＨＳシリーズ）で、φ１５ｍｍの杵と臼を用いて、本圧１．５ｋＮ、３０ｒｐｍ打錠することによって、塊状処理剤  ２０００粒を作製した（１粒１ｇ、平均直径：１５ｍｍ、平均厚さ：６ｍｍ）。なお、塊状処理剤の硬度は、硬度１２ｋｇｆであった。この際の硬度の測定は、錠剤破壊強度測定器（硬度計）ＴＨ−２０３ＭＰにて行った。
【０１２５】
【表１】
0006029277.tif 000002
【０１２６】
（実施例２）（新処方２０）
配合を下記表２のように変更した以外は、実施例１と同様に行って、塊状処理剤を２０００粒作製した（１粒１ｇ、平均直径：１５ｍｍ、平均厚さ：６ｍｍ）。なお、塊状処理剤の硬度は、８．１５ｋｇｆ〜１７．８５ｋｇｆであった。この際の硬度の測定は、錠剤破壊強度測定器（硬度計）ＴＨ−２０３ＭＰにて行った。なお、各成分のメーカーや型番は上記表と同じである。
【０１２７】
【表２】
0006029277.tif 000003
【０１２８】
（実施例３）
下記表３に示される成分を、下記表３に示される混合割合で（合計１００質量％）、２，０００ｇとなるように混合することによって混合物を作製した。かかる混合物２，０００ｇを（株）富士薬品機械の打錠機（ＨＳシリーズ）で、φ１５ｍｍの杵と臼を用いて、本圧１．５ｋＮ、３０ｒｐｍ打錠することによって、塊状処理剤  ２０００粒を作製した（１粒１ｇ、平均直径：１５ｍｍ、平均厚さ：６ｍｍ）。なお、塊状処理剤の硬度は、硬度１２ｋｇｆであった。この際の硬度の測定は、錠剤破壊強度測定器（硬度計）ＴＨ−２０３ＭＰにて行った。
【０１２９】
【表３】
0006029277.tif 000004
【０１３０】
（実施例４）
配合を下記表４のように変更した以外は、実施例２と同様に行って、塊状処理剤を２０００粒作製した（１粒１ｇ、平均直径：１５ｍｍ、平均厚さ：６ｍｍ）。なお、塊状処理剤の硬度は、１０〜１２ｋｇｆであった。この際の硬度の測定は、錠剤破壊強度測定器（硬度計）ＴＨ−２０３ＭＰにて行った。なお、各成分のメーカーや型番は上記表と同じである。
【０１３１】
【表４】
0006029277.tif 000005
【０１３２】
（実施例５）
配合を下記表５のように変更した以外は、実施例１と同様に行って、塊状処理剤を２０００粒作製した（１粒１ｇ、平均直径：１５ｍｍ、平均厚さ：６ｍｍ）。なお、塊状処理剤の硬度は、１０〜１２ｋｇｆであった。この際の硬度の測定は、錠剤破壊強度測定器（硬度計）ＴＨ−２０３ＭＰにて行った。なお、各成分のメーカーや型番は上記表と同じである。
【０１３３】
【表５】
0006029277.tif 000006
【０１３４】
（実施例Ａ）
ビニール袋を敷いたポータブルトイレの汚水受け（プラスチック製）に実施例１で準備した塊状処理剤１００粒を入れた。次いでその汚水受けに高臭気小便（ｐＨ８．８）５００ｇを添加することによって、高臭気小便を処理した。処理後２４時間経った処理済高臭気小便は、ゼリー状に良好に固化していることが分かった。さらに、処理後２４時間経った処理済高臭気小便の臭いを評価した。官能評価では、「１」であった。なお、処理中においては高臭気小便のｐＨの経時変化も測定した。結果をＪ−１に示す（図１参照）。なお、本発明のｐＨは、（株）佐藤商事社製のＰＨレコーダーＳＤカード記録系型番ＰＨ−ＳＤを用いて測定した。なお、処理剤と小便との接触の開始は、図１におけるｘ軸の１０分のメモリの部分である。なお、評価は、相対湿度３５％、１４℃の環境、小便の温度１１℃の条件で行った。
【０１３５】
（実施例Ｂ）
ビニール袋を敷いたポータブルトイレの汚水受け（プラスチック製）に実施例２で準備した塊状処理剤１００粒を入れた。次いでその汚水受けに高臭気小便（ｐＨ９．１１）５００ｇを添加することによって、高臭気小便を処理した。処理後２４時間経った処理済高臭気小便は、ゼリー状に良好に固化していることが分かった。さらに、処理後２４時間経った処理済高臭気小便の臭いを評価した。官能評価では、「１」であった。なお、処理中においては高臭気小便のｐＨの経時変化も測定した。結果をＪ−２に示す（図１参照）。なお、評価は、相対湿度８３％、１０．３℃の環境、小便の温度１２℃の条件で行った。
【０１３６】
（実施例Ｃ）
ビニール袋を敷いたポータブルトイレの汚水受け（プラスチック製）に実施例３で準備した塊状処理剤１００粒を入れた。次いでその汚水受けに高臭気小便（ｐＨ８．４９）５００ｇを添加することによって、高臭気小便を処理した。処理後２４時間経った処理済高臭気小便は、ゼリー状に良好に固化していることが分かった。さらに、処理後２４時間経った処理済高臭気小便の臭いを評価した。官能評価では、「１」であった。なお、処理中においては高臭気小便のｐＨの経時変化も測定した。結果をＪ−３に示す（図１参照）。なお、評価は、相対湿度５５％、２５℃の環境、小便の温度２１℃の条件で行った。
【０１３７】
（実施例Ｄ）
ビニール袋を敷いたポータブルトイレの汚水受け（プラスチック製）に実施例４で準備した塊状処理剤１００粒を入れた。次いでその汚水受けに高臭気小便（ｐＨ９．１１）５００ｇを添加することによって、高臭気小便を処理した。処理後８時間経った処理済高臭気小便は、ゼリー状に良好に固化していたが、処理後２４時間経った処理済高臭気小便は、固化物から小便が染み出していることが観察された。さらに、処理後２４時間経った処理済高臭気小便の臭いを評価した。小便の染み出しが確認されたが、官能評価では、「１」であった。その理由は、有効成分（クエン酸、ゼオライト）が含まれているという構成なので、小便の処理が良好に行われていたためと推測される。なお、処理中においては高臭気小便のｐＨの経時変化も測定した。結果をＪ−４に示す（図１参照）。なお、評価は、相対湿度６２％、７℃の環境、小便の温度９℃の条件で行った。
【０１３８】
（実施例Ｅ）
ビニール袋を敷いたポータブルトイレの汚水受け（プラスチック製）に実施例５で準備した塊状処理剤１００粒を入れた。次いでその汚水受けに高臭気小便（ｐＨ８．９３）５００ｇを添加することによって、高臭気小便を処理した。処理後２４時間経った処理済高臭気小便は、ゼリー状に良好に固化していることが分かった。さらに、処理後２４時間経った処理済高臭気小便の臭いを評価した。官能評価では、「１」であった。なお、処理中においては高臭気小便のｐＨの経時変化も測定した。結果をＪ−５に示す（図１参照）。なお、評価は、相対湿度３２％、１０．８℃の環境、小便の温度９℃の条件で行った。
【０１３９】
処理後２４時間経った処理済高臭気小便のビニール袋を縛り１時間放置後ビニール袋に小さな穴をあけ、検知管を挿入し、ガスを計測アンモニア用ガス検知管で測定した。結果、検知限界以下（０．２ｐｐｍ以下）であった。
【０１４０】
（比較例１）
市販品１（フミン酸（ｐＨ＝７．３）、高分子吸水剤の配合）
実験は市販品１の取扱説明書に準じて行った。ビーカーに高臭気小便（ｐＨ８．７）５００ｇを入れ、その上から市販品１０ｇをふりかけることによって高臭気小便を処理した。処理後２４時間経った処理済高臭気小便は、固化も緩い。さらに、処理後２４時間経った処理済高臭気小便の臭いを評価した。官能評価では、「８」であった。なお、処理中においては高臭気小便のｐＨの経時変化も測定した。結果をＪ−６に示す（図１参照）。なお、評価は、相対湿度７８％、２４℃の環境、小便の温度２１℃の条件で行った。
【０１４１】
（比較例２）
市販品２  消臭剤フォームタイプ（泡の膜で臭いを防ぐもの）
実験は市販品２の取扱説明書に準じて行った。容器に水を１リットル用意した。その中に高臭気小便（ｐＨ８．１１）５００ｇを添加した。高臭気小便を含む水を覆うように消臭剤フォームを添加することによって高臭気小便を処理した。無論、処理後２４時間経った処理済高臭気小便は、固化していない。さらに、処理後２４時間経った処理済高臭気小便の臭いを評価した。官能評価では、「２」であった。なお、処理中においては高臭気小便のｐＨの経時変化も測定した。結果をＪ−７に示す（図１参照）。なお、評価は、相対湿度３２％、１９℃の環境、小便の温度１４℃の条件で行った。しかしながら、容器を洗うために運搬したり、実際に洗った際に泡が破けて強い悪臭がした（官能評価「１０」）。
【０１４２】
（比較例３）
市販品３  消臭シートタイプ（水溶性の紙に無機性消臭薬剤を担持させたもの）
実験は市販品３の取扱説明書に準じて行った。容器に水を１リットル用意した。その中に高臭気小便（ｐＨ８．７６）５００ｇを添加した。高臭気小便を含む水を無機性消臭薬剤が担持された水溶性の紙で覆うことによって高臭気小便を処理した。無論、処理後２４時間経った処理済高臭気小便は、固化していない。さらに、処理後２４時間経った処理済高臭気小便の臭いを評価した。官能評価では、「７」であった。なお、処理中においては高臭気小便のｐＨの経時変化も測定した。結果をＪ−８に示す（図１参照）。なお、評価は、相対湿度５２％、１２℃の環境、小便の温度１１℃の条件で行った。処理後２４時間経った処理済高臭気小便のビニール袋を縛り１時間放置後ビニール袋に小さな穴をあけ、検知管を挿入し、ガスを計測アンモニア用ガス検知管で測定した。結果、５０ｐｐｍであった。
【０１４３】
（実施例６）（ＦＪＫ−Ｃ）
下記表６に示される成分を、下記表６に示される混合割合で（合計１００質量％）、７０．５ｇとなるように混合することによって混合物を作製した。かかる混合物７０．５ｇを、（株）畑鉄工所製ＨＴ−ＡＰ１８ＳＳ−ＩＩの連続打錠機で、φ１３ｍｍの杵と臼を用いて、本圧１．５ｋＮ、３０ｒｐｍ打錠することによって、塊状処理剤  ７０粒を作製した（１粒０．８ｇ、平均直径：１３ｍｍ、平均厚さ：６ｍｍ）。なお、塊状処理剤の硬度は、硬度１２ｋｇｆであった。この際の硬度の測定は、錠剤破壊強度測定器（硬度計）ＴＨ−２０３ＭＰにて行った。
【０１４４】
【表６】
0006029277.tif 000007
【０１４５】
（実施例７）（ＦＪＫ２−Ａ）
下記表７に示される成分を、下記表７に示される混合割合で（合計１００質量％）、６２．５ｇとなるように混合することによって混合物を作製した。かかる混合物６２．５ｇを、（株）畑鉄工所製ＨＴ−ＡＰ１８ＳＳ−ＩＩの連続打錠機で、φ１３ｍｍの杵と臼を用いて、本圧１．５ｋＮ、３０ｒｐｍ打錠することによって、塊状処理剤  ６３粒を作製した（１粒０．８ｇ、平均直径：１３ｍｍ、平均厚さ：６ｍｍ）。なお、塊状処理剤の硬度は、硬度１２ｋｇｆであった。この際の硬度の測定は、錠剤破壊強度測定器（硬度計）ＴＨ−２０３ＭＰにて行った。
【０１４６】
【表７】
0006029277.tif 000008
【０１４７】
（実施例８）（ＦＪＫ−ＣＡＲ４）
下記表８に示される成分を、下記表８に示される混合割合で（合計１００質量％）、６１．５ｇとなるように混合することによって混合物を作製した。かかる混合物６１．５ｇを、（株）畑鉄工所製ＨＴ−ＡＰ１８ＳＳ−ＩＩの連続打錠機で、φ１３ｍｍの杵と臼を用いて、本圧１．５ｋＮ、３０ｒｐｍ打錠することによって、塊状処理剤  ６２粒を作製した（１粒０．８ｇ、平均直径：１３ｍｍ、平均厚さ：６ｍｍ）。なお、塊状処理剤の硬度は、硬度１２ｋｇｆであった。この際の硬度の測定は、錠剤破壊強度測定器（硬度計）ＴＨ−２０３ＭＰにて行った。
【０１４８】
【表８】
0006029277.tif 000009
【０１４９】
（実施例Ｆ）
ビニール袋を敷いたポータブルトイレの汚水受け（プラスチック製）に実施例６で準備した塊状処理剤７０粒を入れた。次いでその汚水受けに高臭気小便（ｐＨ８．９３）５００ｇを添加することによって、高臭気小便を処理した。処理後８時間経った処理済高臭気小便は、ゼリー状に良好に固化していることが分かった。さらに、処理後２４時間経った処理済高臭気小便の臭いを評価した。官能評価では、「１」であった。なお、評価は、相対湿度７５％、２４℃の環境、小便の温度２１℃の条件で行った。
【０１５０】
処理後２４時間経った処理済高臭気小便のビニール袋を縛り１時間放置後ビニール袋に小さな穴をあけ、検知管を挿入し、ガスを計測アンモニア用ガス検知管で測定した。結果、０．５ｐｐｍであった。
【０１５１】
（実施例Ｇ）
ビニール袋を敷いたポータブルトイレの汚水受け（プラスチック製）に実施例７で準備した塊状処理剤６３粒を入れた。次いでその汚水受けに高臭気小便（ｐＨ９．１５）５００ｇを添加することによって、高臭気小便を処理した。処理後１時間経った処理済高臭気小便は、ゼリー状に良好に固化していたが、処理後８時間経った処理済高臭気小便は、固化物から小便が染み出していることが観察された。さらに、処理後２４時間経った処理済高臭気小便の臭いを評価した。小便の染み出しが確認されたが、官能評価では、「１」であった。なお、評価は、相対湿度７５％、２４℃の環境、小便の温度２１℃の条件で行った。
【０１５２】
処理後２４時間経った処理済高臭気小便のビニール袋を縛り１時間放置後ビニール袋に小さな穴をあけ、検知管を挿入し、ガスを計測アンモニア用ガス検知管で測定した。結果、検知限界以下（０．２ｐｐｍ以下）であった。
【０１５３】
（実施例Ｈ）
ビニール袋を敷いたポータブルトイレの汚水受け（プラスチック製）に実施例８で準備した塊状処理剤６２粒を入れた。次いでその汚水受けに高臭気小便（ｐＨ９．０７）５００ｇを添加することによって、高臭気小便を処理した。処理後８時間経った処理済高臭気小便は、ゼリー状に良好に固化していることが分かった。さらに、処理後２４時間経った処理済高臭気小便の臭いを評価した。官能評価では、「１」であった。なお、評価は、相対湿度７５％、２４℃の環境、小便の温度２１℃の条件で行った。
【０１５４】
処理後２４時間経った処理済高臭気小便のビニール袋を縛り１時間放置後ビニール袋に小さな穴をあけ、検知管を挿入し、ガスを計測アンモニア用ガス検知管で測定した。結果、検知限界以下（０．２ｐｐｍ以下）であった。
【０１５５】
（アンモニア消臭効果の評価）
実施例２で準備した塊状処理剤、比較例１〜３で用いた市販品１〜３の処理剤、比較例４である市販品４の処理剤を用いて、下記の手順に従ってそれぞれのアンモニア消臭効果を評価した。高臭気小便５００ｇに対して、実施例２で準備した塊状処理剤は１００ｇ、比較例１の市販品１は１０ｇ、比較例２の市販品２は５ｇ、比較例３の市販品３は１ｇ、比較例４の市販品４は２ｇをそれぞれ用いた。なお、比較例４の市販品４は、錠剤である。
【０１５６】
所定量の処理剤を、それぞれ高臭気小便５００ｇといっしょにビニール袋に入れ、ビニール袋の口を閉じて密封し、所定時間（１５分、１時間、２時間、８時間、２４時間）ごとにビニール袋内のガスを計測アンモニア用ガス検知管で測定した。測定は、ビニール袋に検知管を差し込む検知管口（小さな穴）をあけておき、検知管を挿入して行い、測定時以外は、検知管口はテープで塞いだ。なお、評価は、室温１３℃の部屋の中で行った。
【０１５７】
実験結果を表９および図２に示す。
【０１５８】
【表９】
0006029277.tif 000010
【図１】
0006029277.tif 000011
【図２】
0006029277.tif 000012